(57)【要約】      （修正有）【課題】自然木の風合いのみならず、木による人工的な無数の装飾模様が楽しめる眼鏡の提供。【解決手段】寄せ木模様と木象嵌模様が組み合わされて少なくとも一表面に出るようにされた小木片を眼鏡１の装飾部品３１ｂ又は眼鏡のフレーム１０，１２の少なくとも一部分として使用した。ブリッジ１３又は渡りの部分等の装飾部品３１ｂも今迄に無い装飾を提供出来る。【選択図】図１
0003117871.tif 000002
【実用新案登録請求の範囲】
【請求項１】
寄せ木模様が少なくとも一表面に出る様にされた寄せ木細工の小木片を眼鏡の装飾部品又は眼鏡のフレームの少なくとも一部分として使用したことを特徴とする眼鏡。
【請求項２】
木象嵌模様が少なくとも一表面に出る様にされた木象嵌細工の小木片を眼鏡の装飾部品又は眼鏡のフレームの少なくとも一部分として使用したことを特徴とする眼鏡。
【請求項３】
上記寄せ木模様と木象嵌模様が組み合わされて少なくとも一表面に出るようにされた小木片を眼鏡の装飾部品又は眼鏡のフレームの少なくとも一部分として使用したことを特徴とする請求項１又は２の何れか１項に記載の眼鏡。
【請求項４】
小木片基材の少なくとも一表面に寄せ木細工又は／及び木象嵌細工により装飾模様を施し、前記基材部分に眼鏡の他の部品を固着する部分を設けたことを特徴とする眼鏡。
【請求項５】
寄せ木模様又は木象嵌模様を施した小木片を基材に貼り付け、前記基材部分に眼鏡の他の部品を固着する部分を設けたことを特徴とする眼鏡。
【請求項６】
上記小木片に樹脂を含侵させ、しかる後アールをつけたことを特徴とする請求項１から５の何れか１項に記載の眼鏡。
【考案の詳細な説明】
【技術分野】
【０００１】  本考案は、寄せ木細工又は木象嵌細工を施した小木片を使用した眼鏡に関する。
【背景技術】
【０００２】  従来、眼鏡の部品又は眼鏡フレームの一部に木材を使用したものは提案されてきていた。例えば、実開昭６１−７３１２６号（特許文献１）の様に、硬質木材を渡り又はテンプルに接着剤又はねじにより取付けた眼鏡枠や、登録実用新案第３０５５８７１号（特許文献２）の様にいぶき等のヒノキ材を利用して眼鏡部品に接着剤又はクランプで離脱防止をした眼鏡、その他特開２００４−３６１６３９号（特許文献３）の様に単一の木材を乾燥させて漆を塗った眼鏡等が提案されている。【０００３】
【特許文献１】実開昭６１−７３１２６号
【特許文献２】登録実用新案第３０５５８７１号
【特許文献３】特開２００４−３６１６３９号
【考案の開示】
【考案が解決しようとする課題】
【０００４】  しかし上記提案された何れもが自然の木目を装飾として生かす事が提案されているが、眼鏡フレームの様な小さな空間に木目で特色を出そうとしても限られたものしか表現できず、現代の個人個人が異なった個性の眼鏡を欲しがる時代に於いては、逆に没個性的な感じを与えてしまう。そして又、違いを出そうと木材部分に彩色を施すと、今度は木材の良さが無くなってしまった。
【課題を解決するための手段】
【０００５】  そこで本考案に於いては、上記課題を解決する為に、寄せ木模様が少なくとも一表面に出る様にされた寄せ木細工の小木片を眼鏡の装飾部品又は眼鏡のフレームの少なくとも一部分として使用したことを特徴とする眼鏡、又は、木象嵌模様が少なくとも一表面に出る様にされた木象嵌細工の小木片を眼鏡の装飾部品または眼鏡のフレームの少なくとも一部分として使用したことを特徴とする眼鏡を提供する。そして、更に上記寄せ木模様と木象嵌模様が組み合わされて表面に出るようにされた小木片を眼鏡の装飾部品又は眼鏡のフレームの少なくとも一部分として使用した眼鏡も提供される。【０００６】  そして、小木片基材の表面に寄せ木細工又は／及び木象嵌細工により装飾模様を施し、前記基材部分に眼鏡の他の部品を取着する部分を設けたことを特徴とする眼鏡の提供により更なる解決を図り、そしてより眼鏡を使い易くする為に、小木片に樹脂を含侵させアールをつけるようにした。
【考案の効果】
【０００７】  上記解決手段を採ることにより、眼鏡フレームの様な小さな空間にも、自然の木目調の風合いは勿論、無限の人為的で複雑な絵画模様を含む装飾模様が表現可能となり、色彩に於いても白から黒色まで殆どの色が表現でき、しかも好みの位置に配置出来、今迄見られた事の無い装飾眼鏡が得られる事となった。
【考案を実施するための最良の形態】
【０００８】  小木片基材の表面に寄せ木細工又は／及び木象嵌細工により装飾模様を施し、前記基材部分に眼鏡の他の部品を取着する部分を設け、更に眼鏡を使い易くする為に、小木片に樹脂を含侵させアールをつけた。以下、詳しく図により本考案を説明する。
【実施例１】
【０００９】  図１は本考案の小木片よりなる装飾部品又は装飾フレームを使用した眼鏡１の全体的な斜視図であり、図の様に、眼鏡のフロントフレーム１０としての使用も可能であり、眼鏡のサイドフレーム（テンプル）１２の一部又は全体としての使用も可能である。ブリッジ１３又は渡りの部分等の装飾部品３１ｂも今迄に無い装飾を提供出来る事になった。【００１０】  図２及び図３は寄せ木細工と木象嵌細工の違いを簡単に説明した斜視図であり、図２は寄せ木細工の場合であり、基材４０に模様４１を設ける。この場合図のように基材に直接模様を設けても良いし、模様を作って後から貼り付ける形態でも良い。そして、寄せ木となる木片５０を張り合わせられる様にいくつかの小片（５０ａ，５０ｂ、５０ｃ，５０ｄ）に分割し寄せて合わせて接着する手法であり、一方、木象嵌の場合は、簡単に説明すると、図３のように、基材４０ａに模様４１ａを設ける。この場合も図のように基材に直接模様を設けても良いし、模様を作って後から貼り付ける形態でも良い。そして、木片５１に前記模様４１ａを嵌め込めるように細工を施し、象嵌細工の様に嵌め込み接着する。これら寄せ木細工、又は木象嵌細工を単独で使用した模様を有する部材でも、或いは、それらを互いに組み合わせた細工模様部材であっても勿論良く、装飾模様のパターンは無限に広がる。【００１１】  図４は本考案の眼鏡に、本考案の小木片をサイドフレーム（テンプル）の一部として使用する場合の断面図であり、この場合は、サイドフレーム（テンプル）部品１２ａの基材２０に装飾模様３１ｃ〜３１ｅ、３２ａ〜３２ｄが直接設けられた場合を表しているが、これは基材と装飾部が別々に作られ貼り合わされた物でも良い。又、眼鏡部品取り付け用の凹部６０，６１がそれぞれ設けられ、その中に他の眼鏡部品が接着又は螺着される事が好ましい。【００１２】  図５は眼鏡フレーム１４の一部に凹部又は凸部等を設け、その中に装飾部品３１ｆとして埋め込んだり、嵌め込んだりして使用する場合である。【００１３】  図６は図５のＡ−Ａ断面図であり、この場合のフレーム１４の材質は金属でも、プラスチックであっても良く、接着されてもネジ止めされても良い。【００１４】  図７は、サイドフレーム（テンプル）の一部としてアール（曲線）を設けた物を表している。この場合、最初からアールをつけるように加工した物でも、真っ直ぐな物で作り、後で樹脂含侵させアールをつけながら硬化・乾燥させたものでも良い。【００１５】  又、図７のように、他の眼鏡部品であるサイドピース６２と併用しても良く、単独でサイドフレーム（テンプル）として一本の木片で形成しても良い。勿論ここで、丁番等の金具７０が使用されることが強度を出すには好ましい。【００１６】  そして、図７の寄せ木又は木象嵌模様（３３ａ，〜３３ｘ）（３４）（３５）は、勿論全部自然木で加工及び細工し模様をつける訳であるが、表現できる自然の色調は、白色系（モミ等）、淡灰色系（トチ等）、から黒色系（コクタン等）迄、派手な原色は無いがこれも殆ど無数に存在し材料には事欠かない。【００１７】  又、模様そのものに於いても、単純なものから絵画的な物まで色んな表現が可能である。【００１８】  中には香りを発する���もありそれも楽しむことが可能である。【００１９】  そして木は比重も軽く、眼鏡に使用される部品である金属や樹脂よりも曲げや切削等の加工・細工もし易い。【００２０】又、多少部分的に色彩を施す事やクリアーなコートをかける事が好ましい場合もある。
【図面の簡単な説明】
【００２１】
【図１】本考案の実施例の眼鏡全体斜視図
【図２】細工工法説明用斜視図
【図３】細工工法説明用斜視図
【図４】本考案実施例のサイドフレーム（テンプル）用部品断面拡大図
【図５】本考案他の実施例の正面図
【図６】図５のＡ−Ａ断面図
【図７】本考案の他の実施例の平面図
【符号の説明】
１        眼鏡
１０      眼鏡フロントフレーム
１２      眼鏡サイドフレーム（テンプル）
１３      ブリッジ（渡り）
１４      眼鏡フレーム
２０      基材
３０      装飾模様（寄せ木又は木象嵌）
４０      基材
４１      模様
５０      木片
６２      サイドピース
７０      金具（丁番）
【図１】
0003117871.tif 000003
【図２】
0003117871.tif 000004
【図３】
0003117871.tif 000005
【図４】
0003117871.tif 000006
【図５】
0003117871.tif 000007
【図６】
0003117871.tif 000008
【図７】
0003117871.tif 000009